(57)【要約】【課題】  保管スペースを小さくすることのできる保存用容器を提供する。  【解決手段】容器本体３００と、計量カップ１００と、前記計量カップ１００を取り付け可能な取付孔２２０が設けられた蓋体２００と、を備えた保存用容器４００において、前記計量カップ１００は、前記計量カップ１００の開口部１１１を前記容器本体３００の内側へ向けた状態で、前記開口部１１１の先端を前記容器本体３００内に突出させるように、前記取付孔２２０へ取り付けられることを特徴とする。【選択図】図７
2020089634.tif 000002
【特許請求の範囲】
【請求項１】
容器本体と、計量カップと、前記計量カップを取り付け可能な取付孔が設けられた蓋体と、を備えた保存用容器において、
前記計量カップは、前記計量カップの開口部を前記容器本体の内側へ向けた状態で、前記開口部の先端を前記容器本体内に突出させるように、前記取付孔へ取り付けられることを特徴とする保存用容器。
【請求項２】
容器本体と、計量カップと、前記計量カップを取り付け可能な取付孔が設けられた蓋体と、を備えた保存用容器において、
前記蓋体と前記容器本体との取付箇所に、前記蓋体を前記容器本体にスライドさせて取り付けるためのスライド溝と、前記スライド溝に挿入可能なスライド用凸部が設けられており、
前記蓋体が前記容器本体に取り付けられると共に、前記取付孔に前記計量カップが取り付けられた状態で、前記容器本体の注ぎ口側の側壁と、前記容器本体内に突出した前記計量カップの外周壁との間に空間が形成されていることを特徴とする保存用容器。
【請求項３】
前記容器本体の上端側のフランジ上に、突起が設けられており、
前記突起は、前記蓋体の周縁部の内側に位置していることを特徴とする請求項１又は２に記載の保存用容器。
【請求項４】
前記蓋体の取付孔に注ぎ口を設け、前記計量カップに前記蓋体の注ぎ口を覆うカバーを設けたことを特徴とする請求項１から３のいずれかに記載の保存用容器。
【発明の詳細な説明】
【技術分野】
【０００１】
本願発明は、容器本体に収納物を収納できると共に、計量カップを備えた保存用容器に関する。
【背景技術】
【０００２】
従来から、様々な種類の保存用容器が知られているが、例えば、特許文献１に開示されている保存用容器は、容器本体と前記容器本体の開口部を閉じる蓋体と、計量カップとを備えている。この計量カップは、保管時には、計量カップの開口部を蓋体の上面に載せるようにして収納されている。
【０００３】
ただ、計量カップが容器本体から大きく突出しているため、保管スペースが大きくなり、無駄な空間を必要としていた。
【先行技術文献】
【特許文献】
【０００４】
【特許文献１】意匠登録第１４９４９９６号
【発明の概要】
【発明が解決しようとする課題】
【０００５】
そこで、上記問題に鑑み、本願発明は、保管スペースを小さくすることのできる保存用容器を提供する。
【課題を解決するための手段】
【０００６】
上記課題を解決するために、本願発明の請求項１に係る保存用容器は、容器本体と、計量カップと、前記計量カップを取り付け可能な取付孔が設けられた蓋体と、を備えた保存用容器において、前記計量カップは、前記計量カップの開口部を前記容器本体の内側へ向けた状態で、前記開口部の先端を前記容器本体内に突出させるように、前記取付孔へ取り付けられることを特徴とする。
【０００７】
上記特徴によれば、計量カップの開口部を容器本体の内側へ向けた状態で、開口部の先端を容器本体内に突出させるように、計量カップを取付孔に取り付けているので、従来と比較して、計量カップが蓋体の上面から突出する部分が少なくなり、保存用容器を保管するために必要なスペースを小さく出来る。
【０００８】
さらに、本願発明の請求項２に係る保存用容器は、容器本体と、計量カップと、前記計量カップを取り付け可能な取付孔が設けられた蓋体と、を備えた保存用容器において、前記蓋体と前記容器本体との取付箇所に、前記蓋体を前記容器本体にスライドさせて取り付けるためのスライド溝と、前記スライド溝に挿入可能なスライド用凸部が設けられており、前記蓋体が前記容器本体に取り付けられると共に、前記取付孔に前記計量カップが取り付けられた状態で、前記容器本体の注ぎ口側の側壁と、前記容器本体内に突出した前記計量カップの外周壁との間に空間が形成されていることを特徴とする。
【０００９】
上記特徴によれば、計量カップの外周壁が容器本体内に突出するように、計量カップが蓋体の取付孔に取り付けられているので、従来と比較して、計量カップが蓋体の上面から突出する部分が少なくなり、保存用容器を保管するために必要なスペースを小さく出来る。さらに、蓋体と容器本体との取付箇所に、スライド溝と、スライド溝に挿入可能なスライド用凸部を備えているので、蓋体を容器本体にスライドさせて確実に取り付けることができる。また、注ぎ口側の側壁の内側と、容器本体内に突出した計量カップの外周壁との間には空間が形成されているので、蓋体をスライドさせる際に、計量カップが側壁に干渉することを極力防ぐことができ、蓋体を容器本体に容易に取り付けることができる。
【００１０】
さらに、本願発明の請求項３に係る保存用容器は、前記容器本体の上端側のフランジ上に、突起が設けられており、前記突起は、前記蓋体の周縁部の内側に位置していることを特徴とする。
【００１１】
上記特徴によれば、容器本体のフランジ部上の突起が、蓋体の周縁部の内側に位置しているので、蓋体が不用意にスライドしようとしても、突起が蓋体の周縁部の内面に係止して、蓋体がスライドするのを防止することができる。
【００１２】
さらに、本願発明の請求項４に係る保存用容器は、前記蓋体の取付孔に注ぎ口を設け、前記計量カップに前記蓋体の注ぎ口を覆うカバーを設けたことを特徴とする。
【００１３】
上記特徴によれば、計量カップのカバーが蓋体の注ぎ口を覆うので、注ぎ口から容器本体内部に、ほこり等が入ることを防止できる。
【発明の効果】
【００１４】
本願発明によれば、保管スペースを小さくすることのできる保存用容器を提供できる。
【図面の簡単な説明】
【００１５】
【図１】（ａ）は本願発明の保存用容器の計量カップの全体斜視図、（ｂ）は計量カップの平面図、（ｃ）は計量カップの側面図、（ｄ）は計量カップの底面図である。
【図２】（ａ）は本願発明の保存用容器の蓋体の全体斜視図、（ｂ）は蓋体の平面図、（ｃ）は蓋体の側面図である。
【図３】（ａ）は図２（ｂ）のＡ―Ａ断面図、（ｂ）は図２（ｂ）のＢ―Ｂ断面図、（ｃ）は蓋体の底面図、（ｄ）は図２（ｂ）のＣ―Ｃ断面図である。
【図４】（ａ）は本願発明の保存用容器の容器本体の全体斜視図、（ｂ）は容器本体の平面図、（ｃ）は容器本体の側面図である。
【図５】（ａ）は本願発明の保存用容器の計量カップを蓋体の取付孔に挿入する状態の斜視図、（ｂ）は計量カップを蓋体の取付孔に挿入した状態の平面図である。
【図６】（ａ）は図５（ｂ）のＤ―Ｄ断面図、（ｂ）は計量カップを蓋体の取付孔に挿入した状態で、計量カップを回転させた平面図、（ｃ）は図６（ｂ）のＥ―Ｅ断面図である。
【図７】（ａ）は本願発明の保存用容器の全体斜視図、（ｂ）及び（ｃ）は保存用容器の上端側の拡大側面図である。
【符号の説明】
【００１６】
１００        計量カップ
１１１        開口部
２００        蓋体
２２０        取付孔
３００        容器本体
４００        保存用容器
【発明を実施するための形態】
【００１７】
以下に、本願発明の実施形態について、図面を用いて説明する。なお、本明細書において、「上方」とは容器本体の開口部を上にして水平面上に載置した際に、鉛直方向における上方に向く方向のことであり、「下方」とは鉛直方向における下方に向く方向のことである。また、「前側」とは保存用容器の注ぎ口が設けられた側のことであり、「後側」とは前側の反対側のことである。
【００１８】
まず、図１に、本願発明に係る保存用容器４００の計量カップ１００を示す。なお、保存用容器４００は、計量カップ１００と、後述する蓋体２００と容器本体３００を備えている。また、図１（ａ）は計量カップ１００の全体斜視図、図１（ｂ）は計量カップ１００の平面図、図１（ｃ）は計量カップ１００の側面図、図１（ｄ）は計量カップ１００の底面図である。
【００１９】
この計量カップ１００は、円筒形状の本体部１１０と、前記本体部１１０の一端を塞いでいる円形の天板部１２０を備える。本体部１１０の他端は開口部１１１となっており、この開口部１１１から本体部１１０の内部に米等の収納物を入れて、収納物の量を測定することができる。また、本体部１１０の外周壁１１４には、後述する蓋体２００に取り付けて固定するための突部１１２が設けられている。また、本体部１１０の外面には収納物の量を測定する目安となる計量線１１３が複数設けられている。さらに、本体部１１０の外面の計量線１１３に加えて、本体部１１０の内面に段部を設けることで、収納物のいくつかの量を測定可能な構成としている。なお、計量カップ１００は収納物の量を測定し易いように、透明な合成樹脂によって形成されている。
【００２０】
また、天板部１２０の外縁には平坦なフランジ部１２１が設けられており、このフランジ部１２１は本体部１１０の外周壁１１４よりも外側へ延出している。また、このフランジ部１２１は、後述する蓋体２００の取付孔２２０を覆うことができるように、取付孔２２０よりも大きくなっている。さらに、フランジ部１２１の一部には、フランジ部１２１よりも外側へ延出するカバー１２２が設けられている。このカバー１２２は、後述する蓋体２００の注ぎ口２２２を覆うことができる。また、蓋体２００の注ぎ口２２２の形状に合わせて、カバー１２２の先端１２３側は湾曲している。
【００２１】
さらに、天板部１２０の中央には内側に窪んだ窪部１２４が設けられ、その窪部１２４内に直線状に延びる摘まみ部１２５が設けられている。この摘まみ部１２５は、窪部１２４の底面から突出しているが、天板部１２０のフランジ部１２１よりも突出しないようになっている。そのため、図１（ｃ）に示すように、天板部１２０の表面は、突出した部分がなく平坦になっている。
【００２２】
次に、図２及び図３に、本願発明に係る保存用容器４００の蓋体２００を示す。なお、図２（ａ）は蓋体２００の全体斜視図、図２（ｂ）は蓋体２００の平面図、図２（ｃ）は蓋体２００の側面図、図３（ａ）は図２（ｂ）のＡ―Ａ断面図、図３（ｂ）は図２（ｂ）のＢ―Ｂ断面図、図３（ｃ）は蓋体２００の底面図、図３（ｄ）は図２（ｂ）のＣ―Ｃ断面図である。
【００２３】
図２及び図３に示すように、合成樹脂製の蓋体２００は、略四角形状の平坦な天板部２１０と、前記天板部２１０の周縁から下方へ延出している側壁２１１と、天板部２１０を貫通する取付孔２２０を備える。また、取付孔２２０の周縁には、天板部２１０の表面から内側へ窪んだ段部２１２が設けられており、この段部２１２に計量カップ１００のフランジ部１２１を載置できるようになっている。蓋体２００の先端側においては、取付孔２２０の内壁２２１の一部が切りかかれて、外側へ延出した注ぎ口２２２が設けられており、保存用容器４００内の収納物を外部へ排出することができる。また、注ぎ口２２２の両側には、取付孔２２０の内壁２２１と滑らかに連続するガイド枠２２３が設けられており、注ぎ口２２２を介して排出される内容物が広範囲に広がらないように誘導している。
【００２４】
また、取付孔２２０は、計量カップ１００の本体部１１０を挿入して回転することができるように円形状をしている。さらに、取付孔２２０の内壁２２１には、内壁２２１の表面から突出する突部２３０ａ、突部２３０ｂ、突部２３０ｃが設けられている。具体的には、注ぎ口２２２の両側の突部２３０ａ及び突部２３０ｂと、前記突部２３０ａ及び突部２３０ｂと隙間２２４をあけて突部２３０ｃが設けられている。隙間２２４は、計量カップ１００の突部１１２と対応する位置に設けられており、計量カップ１００を取付孔２２０に挿入した際に、計量カップ１００の突部１１２を、突部２３０ｂ又は突部２３０ｃの裏面へ案内する部分となっている。
【００２５】
そして、後述するように、計量カップ１００の突部１１２が突部２３０ｃの裏面に係合することで、計量カップ１００が蓋体２００から外れないように確実に取り付けられる。また、図３（ａ）に示すように、突部２３０ｃの一端２３１ｃ側には、一端２３１ｃから離れた位置に、突部２３０ｃの裏面から下方へ突出する当接部２３２ｃが設けられている。この当接部２３２ｃは、後述するように、計量カップ１００が回転しないように、計量カップ１００の突部１１２が当接する部分である。さらに、突部２３０ｃの一端２３１ｃには、突部２３０ｃの裏面から下方へ僅かに突出する外れ止め２３３ｃが設けられており、この外れ止め２３３ｃは、計量カップ１００の突部１１２が乗り越えられるように、当接部２３２ｃに比べて小さくなっている。また、突部２３０ａの両端には、突部２３０ａの裏面から下方へ突出する当接部２３２ａが設けられており、計量カップ１００の突部１１２が突部２３０ａの裏面に入り込むことを防止している。
【００２６】
同様に、図３（ｂ）に示すように、突部２３０ｂの一端２３１ｂ側には、一端２３１ｂから離れた位置に、突部２３０ｂの裏面から下方へ突出する当接部２３２ｂが設けられている。この当接部２３２ｂは、後述するように、計量カップ１００が回転しないように、計量カップ１００の突部１１２が当接する部分である。さらに、突部２３０ｂの一端２３１ｂには、突部２３０ｂの裏面から下方へ僅かに突出する外れ止め２３３ｂが設けられており、この外れ止め２３３ｂは、計量カップ１００の突部１１２が乗り越えられるように、当接部２３２ｂに比べて小さくなっている。また、突部２３０ｂの他端２３４ｂには、突部２３０ｂの裏面から下方へ突出する当接部２３５ｂが設けられており、計量カップ１００の突部１１２が、他端２３４ｂ側から突部２３０ｂの裏面に入り込むことを防止している。また、突部２３０ｃの他端２３４ｃには、突部２３０ｃの裏面から下方へ突出する当接部２３５ｃが設けられており、計量カップ１００の突部１１２が、他端２３４ｃ側から突部２３０ｃの裏面に入り込むことを防止している。
【００２７】
また、側壁２１１の内側には、側壁２１１の内側の表面から突出するスライド用凸部２１７が設けられている。このスライド用凸部２１７は直線状に延出しており、後述するスライド溝に沿って挿入してスライドできるようになっている。
【００２８】
また、側壁２１１の内側には、側壁２１１に平行に延びる挟持リブ２１３が設けられている。そして、蓋体２００が容器本体３００に取り付けられた際に、側壁２１１と挟持リブ２１３とで、後述する容器本体３００の側壁３２０の上端を挟み込み、容器本体３００が内側へ変形することを防止しているのである。さらに、相対する側壁２１１の間を横断するように、直線状に延出する補強リブ２１４が形成されており、蓋体２００が内側へ変形することを防止している。また、側壁２１１の内側には、相対する側壁２１１に向けて直線状に延出するリブ２１６が形成されており、蓋体２００が内側へ変形することを防止している。
【００２９】
また、蓋体２００の前側の側壁２１１の内側には係合爪２４０が設けられており、蓋体２００が容器本体３００に取り付けられた際に、この係合爪２４０は、容器本体３００の凹部３２１に係合できるようになっている。さらに、蓋体２００の後側の側壁２１１には、バックル２５０が設けられている。このバックル２５０には係合爪２５１が設けられ、容器本体３００のバックル受け部３３４に係合できるようになっている。そして、バックル２５０は、回動軸２５２を中心に回動できるため、容器本体３００のバックル受け部３３４に係合した状態とバックル受け部３３４から外れた状態を適宜変更できる。
【００３０】
次に、図４に本願発明に係る保存用容器４００の容器本体３００を示す。なお、図４（ａ）は容器本体３００の全体斜視図、図４（ｂ）は容器本体３００の平面図、図４（ｃ）は容器本体３００の側面図である。
【００３１】
図４に示すように、合成樹脂製の容器本体３００は、略四角形状の底壁３１０と、前記底壁３１０の周囲から上方へ立ち上がる側壁３２０とを備えており、上端の開口部３３０を覆うように蓋体２００を取り付けることができる。この開口部３３０の周縁はフランジ部３３１となっており、開口部３３０の両側のフランジ部３３１には突起３３２が、開口部３３０の後側のフランジ部３３１には突起３３３が形成されている。さらに、開口部３３０の後側のフランジ部３３１の裏面には、下方へ突出したバックル受け部３３４が形成されており、蓋体２００のバックル２５０の係合爪２５１が係合出来るようになっている。さらに、容器本体３００の後側のフランジ部３３１の上面には、前記フランジ部３３１と蓋体２００の下端部が当接するように、肉盛りを形成している。そのため、バックル２５０の嵌合が可能になっている。また、バックル２５０の取り外しを行う際に指を入れやすくするために、容器本体３００の後側のバックル受け部３３４周辺には、凹部が形成されている。
【００３２】
また、開口部３３０の両側のフランジ部３３１には、スライド溝３４０が形成されている。このスライド溝３４０は、蓋体２００のスライド用凸部２１７を挿入してスライドさせることが出来る。具体的には、スライド溝３４０は、上方に開口した開口部３４１と、フランジ部３３１から滑らかに連続する傾斜部３４２と、前記傾斜部３４２に連続する直線状の下側凸部３４３と、下側凸部３４３の上方側に位置する上側凸部３４４とを備える。そして、後述するように、蓋体２００のスライド用凸部２１７を開口部３４１からスライド溝３４０内に挿入して、スライド用凸部２１７を下側凸部３４３上でスライドさせ、上側凸部３４４に係合させることができる。なお、スライド溝３４０は、下側凸部３４３と上側凸部３４４とでスライド用凸部２１７を挟み込んで係合する構成であるが、これに限定されず、スライド溝３４０は、下側凸部３４３を備えておらず、上側凸部３４４のみを備えており、スライド用凸部２１７が前記上側凸部３４４に係合する構成であってもよい。
【００３３】
また、側壁３２０の前側には凹部３２１が形成されており、蓋体２００の係合爪２４０が係合できるようになっている。一方、側壁３２０の後側には、幅が狭くなった把持部３２２が形成されており、使用者が把持部３２２を持ちやすくなっている。
【００３４】
次に、図５及び図６を参照して、本願発明に係る保存用容器４００の計量カップ１００を蓋体２００に取り付ける方法を説明する。なお、図５（ａ）は計量カップ１００を蓋体２００の取付孔２２０に挿入する状態の斜視図、図５（ｂ）は計量カップ１００を蓋体２００の取付孔２２０に挿入した状態の平面図、図６（ａ）は図５（ｂ）のＤ―Ｄ断面図、図６（ｂ）は計量カップ１００を蓋体２００の取付孔２２０に挿入した状態で、計量カップ１００を回転させた平面図、図６（ｃ）は図６（ｂ）のＥ―Ｅ断面図である。なお、図５及び図６では、蓋体２００が容器本体３００に既に取り付けられた状態で、蓋体２００に計量カップ１００を取り付ける方法を説明している。蓋体２００を容器本体３００に取り付ける方法については、図７を参照して後述する。
【００３５】
図５に示すように、計量カップ１００を蓋体２００に取り付ける際は、計量カップ１００の開口部１１１を容器本体３００の内側に向けた状態で、計量カップ１００の本体部１１０を蓋体２００の取付孔２２０に挿入する。その際、図５（ｂ）及び図６（ａ）に示すように、本体部１１０に設けられた突部１１２が、取付孔２２０の隙間２２４内に位置するように、計量カップ１００の向きを合わせながら、計量カップ１００の本体部１１０を蓋体２００の取付孔２２０に挿入する。
【００３６】
次に、図６（ｂ）及び（ｃ）に示すように、計量カップ１００を取付孔２２０内で時計回りに回転させると、計量カップ１００の一方の突部１１２が、取付孔２２０の突部２３０ｃの一端２３１ｃから、外れ止め２３３ｃを乗り越えて、突部２３０ｃの下面に入り込む。そして、突部１１２が当接部２３２ｃに当接して、計量カップ１００がそれ以上回転しないようになる。同様に、計量カップ１００の他方の突部１１２が、突部２３０ｂの一端２３１ｂから突部２３０ｂの下面に入り込み、当接部２３２ｂに当接して、計量カップ１００がそれ以上回転しないようになる。すると、計量カップ１００の両側の突部１１２が、取付孔２２０の突部２３０ｂ及び突部２３０ｃにそれぞれ係止し、計量カップ１００が蓋体２００の取付孔２２０から外れないように固定された状態となる。つまり、計量カップ１００は、開口部１１１の先端を容器本体３００の内側へ向けた状態で、開口部１１１の先端を容器本体３００内に突出させるように、取付孔２２０に確実に取り付けられることになる。
【００３７】
なお、計量カップ１００のフランジ部１２１が蓋体２００の段部２１２に載置されているので、計量カップ１００が容器本体３００内に抜け落ちることはない。また、計量カップ１００の突部１１２は、突部２３０ｃの外れ止め２３３ｃ及び突部２３０ｂの外れ止め２３３ｂに当接しているので、計量カップ１００が不用意に回転して外れないようになっている。また、図６（ｂ）及び（ｃ）に示すように、計量カップ１００が蓋体２００に取り付けられた状態では、計量カップ１００のカバー１２２が蓋体２００の注ぎ口２２２を覆っているので、注ぎ口２２２から容器本体３００内部に、ほこり等が入ることを防止できる。
【００３８】
また、計量カップ１００を蓋体２００に取り付ける際に、本体部１１０の突部１１２を取付孔２２０の隙間２２４内に上手く位置させることができずに、突部１１２が、取付孔２２０の突部２３０ａ、突部２３０ｂ又は突部２３０ｃの表面に乗っていることがある。ただ、図５及び図６に示すように、取付孔２２０の突部２３０ａ、突部２３０ｂ及び突部２３０ｃの表面は、滑らかな平坦面となっているので、計量カップ１００を回転させれば、突部１１２が取付孔２２０の突部２３０ａ、突部２３０ｂ又は突部２３０ｃの滑らかな平坦面上を滑り、隙間２２４内へ移動出来るのである。さらに、突部２３０ａ、突部２３０ｂ又は突部２３０ｃの表面を、隙間２２４に向けて傾斜する傾斜面とすれば、突部１１２を隙間２２４に誘導し易くなる。
【００３９】
なお、図５及び図６では、計量カップ１００の突部１１２が、取付孔２２０の突部２３０ｂ及び突部２３０ｃに係止し、計量カップ１００が蓋体２００の取付孔２２０から外れないように固定されているが、これに限定されることはなく、計量カップ１００の開口部１１１の先端を容器本体３００の内側へ向けた状態で、開口部１１１の先端を容器本体３００内に突出させるように、計量カップ１００を取付孔２２０内に取り付けることができるのであれば、計量カップ１００を取付孔２２０内に挿入するだけの単純な構成など、その他の構成を採用してもよい。ただ、計量カップ１００が、取付孔２２０の突部２３０ｂ及び突部２３０ｃに係止する構成を採用することで、計量カップ１００が取付孔２２０から外れないように確実に固定できる。
【００４０】
また、図５及び図６に示すように、注ぎ口２２２側の側壁３２０と計量カップ１００の本体部１１０の外周壁１１４との間には空間Ｙが設けられている。そのため、計量カップ１００を蓋体２００の取付孔２２０に取り付ける際に、計量カップ１００の外周壁１１４と側壁３２０とが干渉することを出来るだけ防ぎ、計量カップ１００及び側壁３２０に傷がつかないようになっている。
【００４１】
次に、図７を参照して、本願発明に係る保存用容器４００の蓋体２００を容器本体３００に取り付ける方法を説明する。なお、図７（ａ）は保存用容器４００の全体斜視図、図７（ｂ）及び（ｃ）は保存用容器４００の上端側の拡大側面図である。なお、図７では、蓋体２００に計量カップ１００を既に取り付けた状態で、蓋体２００を容器本体３００に取り付けているが、以下で説明する方法によって、蓋体２００を容器本体３００に先に取り付けた後に、図５及び図６を参照して先述した方法によって、計量カップ１００を蓋体２００に取り付けてもよい。
【００４２】
図７（ａ）及び（ｂ）に示すように、蓋体２００を容器本体３００に取り付ける際は、容器本体３００の開口部３３０を覆うように、蓋体２００を容器本体３００に被せる。その際に、蓋体２００の側壁２１１内側のスライド用凸部２１７を、スライド溝３４０の開口部３４１側からスライド溝３４０の内部へ挿入する。そして、図７（ｃ）に示すように、蓋体２００を容器本体３００のフランジ部３３１上で後側へスライドさせると、蓋体２００のスライド用凸部２１７が、スライド溝３４０の下側凸部３４３上を移動して、上側凸部３４４の裏面側へ入り込む。すると、蓋体２００のスライド用凸部２１７がスライド溝３４０に係止するので、蓋体２００が容器本体３００から外れないようにしっかりと取り付けられた状態となる。さらに、バックル２５０をバックル受け部３３４に係合させることで、蓋体２００は容器本体３００により強固に固定されることになる。なお、蓋体２００を取り外す際は、バックル２５０を外して、蓋体２００を前側の注ぎ口２２２側へスライドさせれば、スライド用凸部２１７がスライド溝３４０から外れて、そのまま蓋体２００を取り外すことができる。
【００４３】
また、図７（ｃ）に示すように、注ぎ口２２２側の側壁３２０と計量カップ１００の外周壁１１４との間には空間Ｙが設けられているので、計量カップ１００が取り付けられた蓋体２００を、容器本体３００にスライドさせて取り付ける際に、計量カップ１００の外周壁１１４と側壁３２０とが干渉することを出来るだけ防ぎ、蓋体２００を容器本体３００に容易に取り付けることができる。
【００４４】
また、図７（ｃ）に示すように、蓋体２００の係合爪２４０が容器本体３００の凹部３２１に係合しているので、蓋体２００が容器本体３００により強固に固定される。さらに、図７（ｃ）に示すように、蓋体２００が容器本体３００に取り付けられた状態で、容器本体３００の後側のフランジ部３３１上の突起３３３が、蓋体２００の周縁部２１５の内側に位置している。そのため、蓋体２００が注ぎ口２２２側へ不用意にスライドしようとしても、突起３３３が蓋体２００の周縁部２１５の内面に係止するので、蓋体２００がスライドするのを防止することができる。また、図７（ｃ）に示すように、容器本体３００のフランジ部３３１上の突起３３２が、蓋体２００のリブ２１６の前側、つまり注ぎ口２２２側に位置している。そのため、蓋体２００が注ぎ口２２２側へ不用意にスライドしようとしても、突起３３２が蓋体２００のリブ２１６に係止するので、蓋体２００がスライドするのを防止することができる。
【００４５】
このように、本願発明の保存用容器４００によれば、計量カップ１００の開口部１１１を容器本体３００の内側へ向けた状態で、開口部１１１の先端を容器本体３００内に突出させるように、計量カップ１００を取付孔２２０に取り付けているので、従来と比較して、計量カップ１００が蓋体２００の上面から突出する部分が少なくなり、保存用容器４００を保管するために必要なスペースを小さく出来る。
【００４６】
なお、図６に示すように、計量カップ１００を蓋体２００に取り付けた状態では、計量カップ１００の天板部１２０と蓋体２００の天板部２１０とが同一面となっており、保存用容器４００の上方から突出する部分を極力減らしているので、保存用容器４００を保管するために必要なスペースを更に小さくしている。ただ、保存用容器４００は、計量カップ１００の開口部１１１を容器本体３００の内側へ向けた状態で、開口部１１１の先端を容器本体３００内に突出させるように、計量カップ１００を取付孔２２０に取り付ける構成であれば、図６に示す上記構成に限定されず、例えば、計量カップ１００の天板部１２０が蓋体２００の天板部２１０よりも上方に突出していてもよい。開口部１１１の先端が容器本体３００内に突出するように、計量カップ１００が取付孔２２０に取り付けられていれば、従来と比較して、保存用容器４００の上方への計量カップ１００の突出量を減らすことができ、保存用容器４００を保管するために必要なスペースを小さくすることが出来る。
【００４７】
また、本願発明の保存用容器４００によれば、蓋体２００と容器本体３００との取付箇所に、スライド溝３４０と、スライド溝３４０に挿入可能なスライド用凸部２１７を備えているので、蓋体２００を容器本体３００にスライドさせて確実に取り付けることができる。さらに、図７に示すように、計量カップ１００が取り付けられた蓋体２００を容器本体３００に取り付けた状態で、注ぎ口２２２側の側壁３２０の内側と、容器本体３００内に突出した計量カップ１００の外周壁１１４との間には空間Ｙが形成されている。そのため、蓋体２００をスライドさせる際に、計量カップ１００が側壁３２０に干渉することを極力防ぐことができるので、蓋体２００を容器本体３００に容易に取り付けることができるのである。
【００４８】
また、図７では、蓋体２００と容器本体３００との取付箇所において、スライド用凸部２１７が蓋体２００の側壁２１１に設けられ、スライド溝３４０が容器本体３００のフランジ部３３１に設けられているが、これに限定されることはなく、例えば、スライド用凸部２１７が容器本体３００のフランジ部３３１に設けられ、スライド溝３４０が蓋体２００の側壁２１１に設けられても良く、蓋体２００と容器本体３００との取付箇所であれば、スライド用凸部２１７とスライド溝３４０を、それぞれ蓋体２００側又は容器本体３００側の任意の箇所に設けることが出来る。
【００４９】
なお、図７では、計量カップ１００が先に取り付けられた蓋体２００を、容器本体３００にスライドさせて取り付けているが、これに限定されない。例えば、蓋体２００を容器本体３００にスライドさせて取り付けた後に、計量カップ１００を蓋体２００に取り付けてもよい。その場合であっても、注ぎ口２２２側の側壁３２０と、容器本体３００内に突出した計量カップ１００の外周壁１１４との間には空間Ｙが形成されているので、計量カップ１００を蓋体２００に取り付ける際に、計量カップ１００が側壁３２０に干渉することを防ぐことができるので、計量カップ１００及び側壁３２０に傷がつかない。また、計量カップ１００を蓋体２００に取り付ける際に、収納物を空間Ｙや周辺に押しのけられるので、計量カップ１００を取り付けやすいのである。
【００５０】
また、本願発明の保存用容器４００では、図７に示すように、蓋体２００を容器本体３００にスライドさせて取り付けていたが、これに限定されず、蓋体２００を容器本体３００に取り付けることが出来る構成であれば、例えば、蓋体２００を容器本体３００に嵌合させて取り付ける構成や複数のバックルで固定する構成など、任意の構成を適宜採用してもよい。
【００５１】
また、図７に示すように、保存用容器４００では、蓋体２００を容器本体３００に強固に固定するために、蓋体２００の後側にバックル２５０を一つ設けている。これは、蓋体２００の両側はスライド用凸部２１７及びスライド溝３４０によって固定されているため、蓋体２００の後側にバックル２５０を一つのみ設ければ、蓋体２００を容器本体３００に強固に固定するのに十分だからである。そして、バックル２５０を一つのみ設ければよいため、それだけ保存用容器４００の製造コストを削減することが出来るのである。
【００５２】
なお、本願発明の保存用容器４００の使い方であるが、蓋体２００と計量カップ１００を外して、収納物を容器本体３００に収納する使い方や、計量カップ１００を蓋体２００から外し、収納物を計量カップ１００に注ぐ使い方、また、米などを保存する際は、蓋体２００と計量カップ１００を外して、米を容器本体３００に入れて、蓋体２００をスライドさせて取付けた後、計量カップ１００を蓋体２００に取付けて保存する使い方や、米などを取り出して使う際は、計量カップ１００を蓋体２００から取り外して、米を計量カップ１００に注いで計量し、米を容器に移し、その後、計量カップ１００を蓋体２００に取付けて保存する使い方など、使用者の目的に応じて任意の使い方ができる。
【００５３】
また、本願発明の保存用容器は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2020089634.tif 000003
【図２】
2020089634.tif 000004
【図３】
2020089634.tif 000005
【図４】
2020089634.tif 000006
【図５】
2020089634.tif 000007
【図６】
2020089634.tif 000008
【図７】
2020089634.tif 000009